(57)【特許請求の範囲】
【請求項１】
室内の空気を吸込む吸込口と、室内へ調和空気を吹出す吹出口と、前記吸込口と前記吹出口とを連通する風路とを有する本体と、
前記風路に設けられた送風ファンと、
前記送風ファンに向って前記吹出口に設けられ、前記送風ファンへの触手を抑制するファンガードと、
前記吹出口に設けられ、左右方向の風向を変更する左右風向板と、
前記ファンガードが取り付けられると共に、前記左右風向板が回動自在に取り付けられて、前記本体に固定される左右風向板ベースとを備え、
前記ファンガードは、線材をＵ字状に屈曲し、且つＵ字の反開口部側を直角に曲げて全体をＬ字状に成形し、前記Ｕ字の反開口部側にコ字状係合部を形成した複数の縦桟と、複数の横桟とからなり、
前記左右風向板ベースは、前記縦桟の前記コ字状係合部が係合するコ字状溝部と、前記横桟が係合する溝部を有する保持片と、前記コ字状係合部を固定するヒンジとを具備し、
前記横桟の前記本体の左右端部側の一方の端部を左右風向板側にクランク状に折り曲げることを特徴とする空気調和機。
【請求項２】
前記ファンガードの前記横桟を前記左右風向板ベースの前記保持片の前記溝部に嵌め、前記溝部を支点として前記ファンガードを回動して前記コ字状係合部を前記コ字状溝部に納め、前記ヒンジを閉じて前記ファンガードを前記左右風向板ベースに固定することを特徴とする請求項１記載の空気調和機。
【発明の詳細な説明】
【技術分野】
【０００１】
この発明は、空気調和機に関するもので、詳しくは送風ファンへの触手を抑制するファンガードの本体への取付構造に関する。
【背景技術】
【０００２】
従来、簡素な構成であって、本体への取付及び取り外しが容易且つ確実なファンガードの保持部材を有する空気調和機を提供するために、左右風向板が設置される左右風向板ベースに風の流れ方向に向けて流線型に形成された、下方保持爪と前方保持爪と後方保持爪とを具備するファンガード保持部材が形成され、左右風向板ベースの下面と下方保持爪の上端面とによってファンガードの縦桟の横部分が、前方保持爪の後面と後方保持爪の前面とによって縦桟の縦部分が、それぞれ保持される空気調和機が提案されている（例えば、特許文献１参照）。
【特許文献１】特開２００５−１８８８７１号公報
【発明の開示】
【発明が解決しようとする課題】
【０００３】
しかしながら、上記特許文献１に記載された従来の空気調和機は、左右風向板ベースの下面と下方保持爪の上端面とによってファンガードの縦桟の横部分が、前方保持爪の後面と後方保持爪の前面とによって縦桟の縦部分が、それぞれ保持される構成なので、ファンガードを左右風向板ベースに取り付けにくい。また、ファンガードを左右風向板ベースに取り付ける際に、ファンガードの縦桟の縦部分を押し広げるので、変形しやすい。さらに、リサイクル時に取り外しにくいという課題があった。
【０００４】
この発明は、上記のような課題を解決するためになされたもので、ファンガードの寸法管理及び型形状の簡易化を図るとともに、ファンガードの左右風向板ベースへの取り付け作業性を向上させた空気調和機を提供することを目的とする。
【課題を解決するための手段】
【０００５】
この発明に係る空気調和機は、室内の空気を吸込む吸込口と、室内へ調和空気を吹出す吹出口と、吸込口と吹出口とを連通する風路とを有する本体と、風路に設けられた送風ファンと、吹出口に設けられ、左右方向の風向を変更する左右風向板と、左右風向板が回動自在に取り付けられて、本体に固定される左右風向板ベースと、左右風向板の下流側で左右風向板ベースに着脱自在に取り付けられ、送風ファンへの触手を抑制するファンガードと、を備え、ファンガードは、線材をＵ字状に屈曲し、且つＵ字の反開口部側を直角に曲げて全体をＬ字状に成形し、Ｕ字の反開口部側にコ字状係合部を形成した複数の縦桟と、複数の横桟とからなり、左右風向板ベースは、縦桟のコ字状係合部が係合するコ字状溝部と、横桟が係合する溝部を有する保持片と、コ字状係合部を固定するヒンジとを具備することを特徴とする。
【発明の効果】
【０００６】
この発明に係る空気調和機は、上記構成により、ファンガードの寸法管理及び型形状の簡易化を図ることができる。また、ファンガードの左右風向板ベースへの取り付け作業性を向上することができる。
【発明を実施するための最良の形態】
【０００７】
実施の形態１．
図１乃至図１４は実施の形態１を示す図で、図１は空気調和機１の全体構成を示す斜視図、図２は空気調和機１の縦断面図、図３は左右風向板組立３０ａを示す斜視図、図４は図３と見る角度を変えた左右風向板組立３０ａを示す斜視図、図５はファンガード１０ａの斜視図、図６は左右風向板ベース１１ａを下から見た斜視図、図７は図６の一部拡大図、図８は図６の保持片２６付近の拡大図、図９は左右風向板ベース１１ａを下から見た平面図、図１０は左右風向板ベース１１ａを上から見た平面図、図１１は左右風向板ベース１１ａを上から見た斜視図、図１２は図１１の一部拡大図、図１３、図１４はファンガード１０ａの左右風向板ベース１１ａへの取付方法を示す斜視図である。
【０００８】
図１及び図２により、空気調和機１の全体構成を簡単に説明する。空気調和機１（室内機）は、本体２０（筐体とも呼ぶ）に室内の空気を吸込む吸込口２と、室内へ熱交換器５で冷凍サイクルの冷媒と熱交換された調和空気を吹出す吹出口３と、吸込口２と吹出口３とを連通する風路４とを有する。風路４には、本体２０の略中央部に送風を行う送風ファン６が設けられる。さらに、この送風ファン６を囲むように熱交換器５が風路４に設けられている。
【０００９】
吹出口３の口元には、風の上下方向の風向を変える上下風向板９が設けられる。上下風向板９は、例えば、風路４を清掃するために、取り外し可能になっている。上下風向板９は公知のものを使用するので、詳細な構成の説明は省略する。
【００１０】
吹出口３において、上下風向板９の上流側で、送風ファン６に近い位置に、左右風向板組立３０ａ（右側）、左右風向板組立３０ｂ（左側）が設けられる。左右風向板組立３０ａ及び左右風向板組立３０ｂは、吹出口３の中央部付近を境にして左右に分かれて配置されている。そして、左右風向板組立３０ａ及び左右風向板組立３０ｂは、上下風向板９を取り外した後、観音扉のように、それぞれ吹出口３の中央部付近から前方へ開く構成になっている。左右風向板組立３０ａ及び左右風向板組立３０ｂが前方へ開放されることにより、風路４の清掃等が可能となる。
【００１１】
左右風向板組立３０ａ及び左右風向板組立３０ｂの構成は、略同じである。従って、以下左右風向板組立３０ａについて説明し、左右風向板組立３０ｂの説明は省略する。
【００１２】
本実施の形態は、左右風向板組立３０ａにおいて、ファンガード１０ａの左右風向板ベース１１ａへの取付構造に特徴がある。左右風向板８は、公知のものである。左右風向板８は、ドレンパン７の裏側の風路壁（本体２０の一部）に取り付けられる。
【００１３】
図３に示すように（図４も参照）、左右風向板組立３０ａは、左右風向板ベース１１ａと、この左右風向板ベース１１ａに回動自在に取付られる左右風向板８と、左右風向板ベース１１ａに着脱自在に取り付けられるファンガード１０ａとを備える。左右風向板８とファンガード１０ａの位置関係は、左右風向板８が送風ファン６に近い位置に配置される。ファンガード１０ａは、左右風向板８の下流側（前面側）に位置する。その理由は、後述する。
【００１４】
図５により、ファンガード１０ａの構成を説明する。ファンガード１０ａは、線材をＵ字状に屈曲し、且つＵ字の反開口部側を直角に曲げて全体をＬ字状に形成した複数の縦桟２２（図５の例は、４個）と、直線を基本とする複数の横桟２１（図５の例は、最も多い箇所で７本、他に６、５、４本の所が夫々１箇所ある）とを備える。線材には、太さ１ｍｍ程度の鉄線を用いる。尚、Ｌ字状の縦桟２２以外にも直線状の縦桟（図５の例では、７本（両端を除く）を設け、ファンガード１０ａの強度（剛性）を上げている。
【００１５】
４個のＬ字状の縦桟２２（直線状の縦桟も含む）と横桟２１を溶接により固定する。次に、図５の右端では、横桟２１の端部を左右風向板８側にクランク状に折り曲げる。図５の左端では、横桟２１の端部を左右風向板８側に略直角に折り曲げる。また、最下部（図５では最上部）の横桟２１は、両端に立上り部２１ａを備える。この立上り部２１ａに、他の横桟２１（左右、各６本）の端部が溶接される。溶接後、塗装（色は、ここでは黒）を施して完成する。
【００１６】
縦桟２２は、Ｕ字の反開口部側が略直角に折り曲げられて、全体が略Ｌ字状になっている。そして、ファンガード１０ａが空気調和機１に組み込まれ、且つ空気調和機１が壁等に取り付けられた姿勢の時、略水平になるコ字状係合部２２ａが、Ｕ字の反開口部側に形成される。
【００１７】
隣接する横桟２１間の距離を、７ｍｍ以下にしている。７ｍｍ以下とすることにより、人の指が横桟２１間に入らないようにすることができる。但し、７ｍｍ以下に限定されるものではなく、人の指が横桟２１間に入らない寸法であればよい。左右風向板組立３０ａは、送風ファン６の近くにある。例えば、ファンガード１０ａと送風ファン６との距離は、最も近い所で（ファンガード１０ａの左右端部）、約３０ｍｍである。人が誤って風路４に手を入れると、送風ファン６に触れる場合がある。その危険を無くすために、上記のような構成のファンガード１０ａを左右風向板組立３０ａに設けている。
【００１８】
ファンガード１０ａが左右風向板８よりも下流側にある理由を述べる。ファンガード１０ａは、例えば、図３に示すように、その上部が左右風向板ベース１１ａに固定される。従って、下部、左右端部は固定されていないので、前方から力が加えられた場合曲がりやすい。左右風向板８が送風ファン６とファンガード１０ａとの間にない場合は、送風ファン６にファンガード１０ａが当たり、送風ファン６を変形させる恐れがある。左右風向板８が送風ファン６とファンガード１０ａとの間に存在すれば、ファンガード１０ａが前方から押されて変形しても左右風向板８に当たり、送風ファン６へは影響しない。
【００１９】
次に、図６乃至図１２により左右風向板ベース１１ａの構成を説明する。主にファンガード１０ａの取付に関係する部分について説明する。左右風向板８の取付に関係する部分は説明を省略する。
【００２０】
左右風向板ベース１１ａは、全体が細長い略平板形状である。図６乃至図９はファンガード１０ａを左右風向板８側から見ている。この部分では、ファンガード１０ａの取付に関係するのは、ファンガード１０ａの横桟２１に係合う保持片２６と、ファンガード１０ａのコ字状係合部２２ａを押さえ込むヒンジ（小）３１ａ、ヒンジ（大）３１ｂである。
【００２１】
保持片２６は、左右風向板ベース１１ａの一方の長辺（空気調和機１に組み込まれた状態で、前側）の縁部近傍に形成される。保持片２６は、合計８個ある。但し、保持片２６は、８個に限定されるものではない。左右風向板ベース１１ａの大きさに応じて、適宜保持片２６の数は選択される。
【００２２】
ヒンジ（小）３１ａ、ヒンジ（大）３１ｂは、左右風向板ベース１１ａの他方の長辺（空気調和機１に組み込まれた状態で、奥側）の縁部付近に形成される。ヒンジ（小）３１ａが３個、ヒンジ（大）３１ｂが１個設けられる。ヒンジが、ヒンジ（小）３１ａとヒンジ（大）３１ｂの２種類あるのは、設置スペースの関係で大きくできない箇所があるからである。
【００２３】
ヒンジ（小）３１ａが３個、ヒンジ（大）３１ｂは、左右風向板ベース１１ａに一体に形成される。そして、図７に示すように、ヒンジ（小）３１ａの根元近傍に薄肉部３１ａ−１を備える。この薄肉部３１ａ−１を支点として、ヒンジ（小）３１ａは図７の矢印方向に回動可能である。ヒンジ（大）３１ｂも同様の構成である。ヒンジ（大）３１ｂは、左右風向板ベース１１ａの長手方向の寸法が、ヒンジ（小）３１ａのそれよりも大きい。
【００２４】
左右風向板ベース１１ａの一方の長辺（空気調和機１に組み込まれた状態で、前側）の縁部近傍に形成される保持片２６は、図８に示すように、全体が細長い略平板形状の左右風向板ベース１１ａに対し、保持片２６は略垂直に形成される。そして、その先端部に溝部２６ａを備える。
【００２５】
保持片２６の溝部２６ａに、縦桟２２のコ字状係合部２２ａに最も近い横桟２１が係合する。８個ある保持片２６の溝部２６ａの全てに、縦桟２２のコ字状係合部２２ａに最も近い横桟２１が係合する。左右風向板ベース１１ａへのファンガード１０ａの取付方法は、追って説明する。
【００２６】
図１０乃至図１２により、ファンガード１０ａの左右風向板８が取付けられる面と反対側の面（ファンガード１０ａが空気調和機１に取付けられ、空気調和機１が壁等に据付られた状態では、上面になる）のファンガード１０ａの取付に関係する部分の構成を説明する。
【００２７】
ファンガード１０ａの左右風向板８が取付けられる面と反対側の面には、ファンガード１０ａのコ字状係合部２２ａが納まるコ字状溝部３２が形成されている。コ字状溝部３２は、図１０の例では、４箇所に形成される。
【００２８】
ファンガード１０ａのコ字状係合部２２ａのコ字の反開口部側の部分が、左右風向板ベース１１ａの一方の長辺（空気調和機１に組み込まれた状態で、前側）の縁部（ヒンジ（小）３１ａが形成される部分）に沿うコ字状溝部３２の一つの溝部に納まる。
【００２９】
ファンガード１０ａのコ字状係合部２２ａが、左右風向板ベース１１ａのコ字状溝部３２に納まった後、ヒンジ（小）３１ａ、ヒンジ（大）３１ｂを回動させて爪の係合により閉じ、ファンガード１０ａを固定する。
【００３０】
即ち、図１２に示すように、ヒンジ（小）３１ａに形成された爪３１ａ−２がファンガード１０ａに設けられた引掛け部３３に係合して、ヒンジ（小）３１ａが固定される。ヒンジ（大）３１ｂについても同様である。
【００３１】
図１３、図１４により、ファンガード１０ａの左右風向板ベース１１ａへの取付方法を説明する。
【００３２】
先ず、ファンガード１０ａの横桟２１の中で、縦桟２２のコ字状係合部２２ａの最も近い横桟２１を、左右風向板ベース１１ａの保持片２６の溝部２６ａに嵌める。図１３は縦桟２２のコ字状係合部２２ａの最も近い横桟２１を、左右風向板ベース１１ａの保持片２６の溝部２６ａに嵌めるためにそれらの位置合わせをした状態を示している。図１３の状態から、横桟２１を全ての保持片２６の溝部２６ａに押し込む。
【００３３】
その後、図１４に示すように、保持片２６の溝部２６ａを支点としてファンガード１０ａを矢印の方向に回転させる。そして、左右風向板ベース１１ａのコ字状溝部３２に、ファンガード１０ａのコ字状係合部２２ａを納める。
【００３４】
そして、ヒンジ（小）３１ａを回動させて、爪３１ａ−２をファンガード１０ａに設けられた引掛け部３３に係合させてヒンジ（小）３１ａを閉じる。これにより、ファンガード１０ａは、左右風向板ベース１１ａに固定される。この動作を、全てのヒンジ（小）３１ａ、ヒンジ（大）３１ｂについて行う。
【００３５】
以上のように、本実施の形態によれば、以下に示す効果を奏する。ファンガード１０ａを複数の直線を基本とする横桟２１と、線材をＵ字状に屈曲し、且つＵ字の反開口部側を直角に曲げて全体をＬ字状に形成した複数の縦桟２２（他に直線状の縦桟を含む）とを溶接して形成する。一方、全体が細長い略平板形状の左右風向板ベース１１ａの一方の長辺（空気調和機１に組み込まれた状態で、前側）の縁部近傍に形成し、左右風向板ベース１１ａに対し略垂直に、先端部に溝部２６ａを備える保持片２６を形成する。さらに、左右風向板ベース１１ａの他方の長辺（空気調和機１に組み込まれた状態で、奥側）の縁部付近に、ヒンジ（小）３１ａ、ヒンジ（大）３１ｂが形成される。そして、先ず、ファンガード１０ａの横桟２１の中で、縦桟２２のコ字状係合部２２ａの最も近い横桟２１を、左右風向板ベース１１ａの保持片２６の溝部２６ａに嵌める。その後、保持片２６の溝部２６ａを支点としてファンガード１０ａを回転させて、左右風向板ベース１１ａのコ字状溝部３２に、ファンガード１０ａのコ字状係合部２２ａを納める。最後に、ヒンジ（小）３１ａを回動させて、爪３１ａ−２をファンガード１０ａに設けられた引掛け部３３に係合させてヒンジ（小）３１ａを閉じるようにしたので、ファンガード１０ａの寸法管理及び型形状の簡易化を図るとともに、ファンガード１０ａの左右風向板ベース１１ａへの取り付け作業性を向上させた空気調和機１を得ることができる。
【図面の簡単な説明】
【００３６】
【図１】実施の形態１を示す図で、空気調和機１の全体構成を示す斜視図。
【図２】実施の形態１を示す図で、空気調和機１の縦断面図。
【図３】実施の形態１を示す図で、左右風向板組立３０ａを示す斜視図。
【図４】実施の形態１を示す図で、図３と見る角度を変えた左右風向板組立３０ａを示す斜視図。
【図５】実施の形態１を示す図で、ファンガード１０ａの斜視図。
【図６】実施の形態１を示す図で、左右風向板ベース１１ａを下から見た斜視図。
【図７】実施の形態１を示す図で、図６の一部拡大図。
【図８】実施の形態１を示す図で、図６の保持片２６付近の拡大図。
【図９】実施の形態１を示す図で、左右風向板ベース１１ａを下から見た平面図。
【図１０】実施の形態１を示す図で、左右風向板ベース１１ａを上から見た平面図。
【図１１】実施の形態１を示す図で、左右風向板ベース１１ａを上から見た斜視図。
【図１２】実施の形態１を示す図で、図１１の一部拡大図。
【図１３】実施の形態１を示す図で、ファンガード１０ａの左右風向板ベース１１ａへの取付方法を示す斜視図。
【図１４】実施の形態１を示す図で、ファンガード１０ａの左右風向板ベース１１ａへの取付方法を示す斜視図。
【符号の説明】
【００３７】
１  空気調和機、２  吸込口、３  吹出口、４  風路、５  熱交換器、６  送風ファン、７  ドレンパン、８  左右風向板、９  上下風向板、１０ａ  ファンガード、１０ｂ  ファンガード、１１ａ  左右風向板ベース、２０  本体、２１  横桟、２１ａ  立上り部、２２  縦桟、２２ａ  コ字状係合部、２６  保持片、２６ａ  溝部、３０ａ  左右風向板組立、３０ｂ  左右風向板組立、３１ａ  ヒンジ（小）、３１ａ−１  薄肉部、３１ａ−２  爪、３１ｂ  ヒンジ（大）、３２  コ字状溝部、３３  引掛け部。
【図１】
0004717050.tif 000002
【図２】
0004717050.tif 000003
【図３】
0004717050.tif 000004
【図４】
0004717050.tif 000005
【図５】
0004717050.tif 000006
【図６】
0004717050.tif 000007
【図７】
0004717050.tif 000008
【図８】
0004717050.tif 000009
【図９】
0004717050.tif 000010
【図１０】
0004717050.tif 000011
【図１１】
0004717050.tif 000012
【図１２】
0004717050.tif 000013
【図１３】
0004717050.tif 000014
【図１４】
0004717050.tif 000015